(57)【特許請求の範囲】
【請求項１】
背負いベルトの長さ調節と固定を、ベルト幅方向に形成された係止突起を有する下または上の背負いベルトと、該係止突起が係止するベルト幅方向に所定の間隔で形成された複数の凹溝を有する上または下の背負いベルトからなるスライド式アジャスタ機構により行うように構成され、かつ、前記係止突起がバックル部に設けられているとともに該バックル部の使用者の身体側の面に係止解除機構が設けられ、該係止解除機構を作用させることにより、前記係止突起と前記凹溝との係止関係が解除されるように構成し、
前記係止解除機構を露出する開孔を有するとともに、前記係止突起を有する下または上の背負いベルトに基部が固定され、かつ、先端側に前記複数の凹溝を有する上または下の背負いベルトを通すガイドスリット孔を有する舌状ガイド体が設けられていることを特徴とするランドセル。
【請求項２】
前記係止解除機構が、押込み式の凸状体であることを特徴とする請求項１に記載のランドセル。
【請求項３】
前記ベルト幅方向に形成された係止突起が下の背負いベルトに形成され、該係止突起が係止する前記ベルト幅方向に所定の間隔で形成された複数の凹溝が上の背負いベルトに形成されてなることを特徴とする請求項１または２に記載のランドセル。
【請求項４】
前記複数の凹溝が、背負いベルト長さ方向に、全長Ｌが１５〜３０ｃｍの長さで形成されていることを特徴とする請求項１〜３のいずれかに記載のランドセル。
【発明の詳細な説明】
【技術分野】
【０００１】
本発明はランドセルに関し、更に詳しくは、背負いベルトの長さ調節がより適切にかつ容易にでき、それにより、背負ったとときに体にランドセルをより密着させることができて、体感する負荷重量を非常に小さなものにして、使用者が感ずる負担を軽減化できるランドセルに関する。
【背景技術】
【０００２】
小学生等が通学時に教材を入れて背負うランドセルは、近年の教科書やノートの大型化や教材の多種類化・多様化に伴い、大容量化・大寸法化の傾向にある。
【０００３】
したがって、その収容物も加えた使用時には従来よりも重量化の傾向にあって、低学年〜中学年の生徒が背負ったときなど、肩への負担や全身への負担が従来に増して大きくなってきている。
【０００４】
ここで、身体の成長期にある小学生が肩や全身に重量物の負荷を感ずるような状況は、成長や健康面で望ましくなく、また、通学途中などで咄嗟の身体の動きが要されるときなどでも、それができるように肩や全身に重量物の負荷を感ずる状況は、極力避けるべきことである。
【０００５】
ランドセルにおけるその背負いベルトの構造・構成は、小学生児童が背負ったときに肩や全身で負荷として感ずる体感重量を左右する一つの重要な要素である。そのため、従来から背負いベルトの構成について、さまざまな工夫がなされてきている。
【０００６】
例えば、ベルト幅を肩部分において、最も細い部分の２〜３倍程度は広い幅あるいはそれよりも更に広い幅のものにすることや、背負いベルトの上部取付け部の位置を左右に調整可能にするという提案（特許文献１）、あるいは背負いベルトの下部取付け部の位置を左右に調整可能にするという提案（特許文献２）等がされている。また、皮革素材に加えて幅広に形成したクッション性を有する発泡樹脂材を併用した背負いベルトについての提案（特許文献３）等がされている。
【０００７】
しかし、これらの提案によるものは、従来から使用されている背負いベルトの領域を出ないものであり、小学生時代の６年間の体格の変化に合わせてベルト取付け位置を多少左右にずらすことや、多少クッション性のある発泡樹脂材を併用するようなことだけでは、肩や全身に感ずる体感重量を画期的に小さなものにするには十分なものではなかった。
【０００８】
また、従来の背負いベルトのピン部とピン穴によって長さ調整および固定を行う方式のランドセルでは、ベルトの長さの調整と固定は、小学校生活での６年間の使用期間中においてそれほど頻繁にはなされず、多くても購入時とあと進級に合わせて数回程度、つまり数年に数回程度の頻度であるのが一般的な使用実態であり、背負いベルトの連結構造には特別研究の目が向かなかったのが実状である。
【０００９】
一方、本発明者らは、先に、背負いベルトの長さ調節と固定をベルト幅方向に形成された係止突起を有する下または上の背負いベルトと、該係止突起が係止するベルト幅方向に所定の間隔で形成された複数の凹溝を有する上または下の背負いベルトからなるスライド式アジャスタ機構により行うように構成されたランドセルについて提案した（特願２０１１−２７３３９６）。
【００１０】
この提案によるランドセルは、従来のピン部とピン穴によって背負いベルトの長さ調整および固定を行う方式のランドセルと比較して、背負いベルトの段階的な長さ調整を数ｍｍピッチで行うことができるものであり、背負いベルトの長さを個人個人の体格や体型に合わせてより最適な調整と固定ができるので、肩や全身に感ずる体感重量を、従来の背負いベルトのピン部とピン穴による固定と長さ調整を行う場合と比較して、数分の１やさらには１０分の１ぐらいまでに軽く感ずるようにできるという優れたものであった。その上、このベルト長さの調整とその固定は、背負う児童本人が、実際にそのランドセルに収納物を入れてそれを背負ったままの状態で行うことが可能であり、体感重量がより軽く感じる最適状態を体で感知しながら、その状態でのベルト長さの調整とその固定ができるのであり、画期的なものであった。
【００１１】
しかし、ベルト長さの調整とその固定を、実際にそのランドセルに収納物を入れてそれを背負ったままの状態で行うとき、背負いながら該係止突起と凹溝の係合を解除させることが必要であるが、その解除が小さな児童では要領良くできない場合があった。上述した先の提案（特願２０１１−２７３３９６）では、係止解除機構をバックルの側面に解除ピンを設けて行うこと、あるいは、バックルの表側正面部の一部を引き起こすことにより、係止突起と凹溝の係合を解除させる方式が提案されているが、小学生にとって手指によって解除するのに十分なだけの力をうまく伝達することが難しかったり、あるいは、解除を微妙にできず急激になされて背負いベルトがある程度の長さ分だけ素抜けてしまい、調整がやりにくいなどの問題があった。
【先行技術文献】
【特許文献】
【００１２】
【特許文献１】特開２００６−３０４９２９号公報
【特許文献２】実用新案登録第３１５２９７３号公報
【特許文献３】実用新案登録第３１３８９６０号公報
【発明の概要】
【発明が解決しようとする課題】
【００１３】
本発明の目的は、上述したような従来のランドセルが有する問題点に鑑み、背負いベルトの長さ調節がより適切にかつ取扱い性が良く容易にできて、それにより、背負ったとときに体により密着させることができて体感する負荷重量を非常に小さなものにして、使用者が感ずる負担を軽減化できるランドセルを提供することにある。
【課題を解決するための手段】
【００１４】
上記した目的を達成する本発明のランドセルは、以下の（１）の構成からなる。
（１）背負いベルトの長さ調節と固定を、ベルト幅方向に形成された係止突起を有する下または上の背負いベルトと、該係止突起が係止するベルト幅方向に所定の間隔で形成された複数の凹溝を有する上または下の背負いベルトからなるスライド式アジャスタ機構により行うように構成され、かつ、前記係止突起がバックル部に設けられているとともに該バックル部の使用者の身体側の面に係止解除機構が設けられ、該係止解除機構を作用させることにより、前記係止突起と前記凹溝との係止関係が解除されるように構成し、前記係止解除機構を露出する開孔を有するとともに、前記係止突起を有する下または上の背負いベルトに基部が固定され、かつ、先端側に前記複数の凹溝を有する上または下の背負いベルトを通すガイドスリット孔を有する舌状ガイド体が設けられていることを特徴とするランドセル。
【００１５】
また、かかる本発明のランドセルにおいて、以下の（２）〜（４）のいずれかの構成からなることが好ましい。
（２）前記係止解除機構が、押込み式の凸状体であることを特徴とする上記（１）に記載のランドセル。
（３）前記ベルト幅方向に形成された係止突起が下の背負いベルトに形成され、該係止突起が係止する前記ベルト幅方向に所定の間隔で形成された複数の凹溝が上の背負いベルトに形成されてなることを特徴とする上記（１）または（２）に記載のランドセル。
（４）前記複数の凹溝が、背負いベルト長さ方向に、全長Ｌが１５〜３０ｃｍの長さで形成されていることを特徴とする上記（１）〜（３）のいずれかに記載のランドセル。
【発明の効果】
【００１６】
請求項１にかかる本発明のランドセルによれば、背負いベルトの段階的な長さ調整を数ｍｍピッチで行うことができるようになり、背負いベルトの長さを個人個人の体格や体型に合わせてより最適に調整と固定ができるので、肩や全身に感ずる体感重量を、従来の背負いベルトのピン部とピン穴による固定と長さ調整を行う場合と比較して数分の１やさらには１０分の１ぐらいまでに軽く感ずるようにすることができる。
【００１７】
体感重量をより軽くできるということは、子供の体格の成長面、健康面に資するばかりか、通学途上などで咄嗟の敏捷な身体の動きが要されるときなどでも、それができるようになるので児童を思わぬ事故や事件から保護することにもつながる。
【００１８】
そして、このベルト長さの調整とその固定は、背負う児童本人が、実際にそのランドセルに収納物を入れて背負ったままの状態で行うことができ、体感重量がより軽く感じられる最適状態を体で感知しながら、その状態でのベルト長さの調整とその固定を良好にできることは大きな意義を有する。特に、本発明のランドセルでは、バックル部に設けられている係止突起と凹溝との係止関係を解除する係止解除機構を該バックル部の使用者の身体側の面に設けているので、該係止関係の解除動作を背負いベルトの全周を手指で握りつつ親指で押すこと等により行うことができるので、比較的容易にかつ背負いベルトの巣抜けなどの不都合を生じたりすることのない、良好な取扱い性のもとで、背負いベルトの段階的長さ調整を容易に行うことができる。これは、例えば、親などの第三者が児童にランセルを背負わせながら向かい合ってベルト長さの調整と固定をする場合にも、容易に調整できてかつ背負いベルトの巣抜けなどの不都合を生じたりすることを防止できて、扱いやすいものである（例えば、人差し指で係止解除機構を押し、全周を手指で握りながらできる）。
【００１９】
請求項２〜４のいずれかにかかる本発明のランドセルによれば、上述した請求項１にかかる本発明のランドセルの効果をさらにより確実に得ることができ、またスライド式アジャスタ機構の係止状態の解除や意図せぬ解除の防止ができること、広い範囲での最適な調整、固定ができることなどの点で、より使いやすいランドセルが提供される。
【図面の簡単な説明】
【００２０】
【図１】本発明にかかるランドセルの一実施態様例を示したものであり、背当て側から見た外観概略図であり、上下の背負いベルトを連結させていない状態を示しており、特に、図面上左側の背負いベルトは、折り返して、身体に面する凹溝を有する側を見せている。
【図２】本発明にかかるランドセルで採用することができるスライド式アジャスタ機構の一例をモデル的に説明するため、バックル部の上面付近を一部破砕して示した斜視図である。
【図３】本発明にかかるランドセルの一実施態様例を示したものであり、背当て側から見た外観概略図であり、図１に示したランドセルで上下の背負いベルトを連結させている状態を示している。
【図４】本発明にかかるランドセルで採用することができるバックル部の好ましい態様例を説明する外観斜視図である。
【発明を実施するための形態】
【００２１】
以下、図面などを用いて更に詳しく本発明のランドセルについて説明する。
【００２２】
図１〜図４は、本発明のランドセルの一実施態様例を示したものであり、ランドセル本体１は、背当て部５側に、左右の背負いベルト２を有している。
【００２３】
左右の背負いベルト２は、その長さ調節と固定とを、ベルト幅方向に形成された係止突起（図２の７）を有する下または上の背負いベルトと、該係止突起が係止するベルト幅方向に所定の間隔で形成された複数の凹溝３を有する上の背負いベルト２１または下の背負いベルト２２からなるスライド式アジャスタ機構によりそれぞれ個々に行うように構成されている。
【００２４】
図１において、４はバックル部であり、図示の態様では、下の背負いベルト２２の先端に配され、該バックル部の内部に上の背負いベルト２１を通す空間と係止突起７を有している。６はバックル部４を出た上の背負いベルト２１を通すベルト通し環である。
【００２５】
複数の凹溝３は、図１上の右側の上背負いベルト２１上に破線で示し（裏側にあるので）、一方、同左側の裏が見えるように折り返した上背負いベルト２１上で実線で示したように、背負いベルトの裏側（身体側）の面に設けられている。その凹溝３が設けられている領域のベルト長さ方向の全長Ｌは、約１５ｃｍ〜３０ｃｍで設けられていることが好ましい。より好ましくは、全長Ｌは約２０ｃｍ〜２５ｃｍ程度である。これは小学１年生から６年生までの体格の成長に適合できるようにである。また、ベルト長さ調整を細かなピッチでより最適なものにするため、凹溝を設けるピッチは、３．５〜６ｍｍ程度、好ましくは４〜５ｍｍ程度で凹溝が設けられているのがよい。凹溝は耐久性の良い硬質の合成樹脂材などで、複数の凹溝を有する一つの部材として形成するのがよい。
【００２６】
図２は、本発明にかかるランドセルで採用することができるスライド式アジャスタ機構の一例をモデル的に説明するため、バックル部４の上面付近を一部破砕して示した斜視図である。
【００２７】
バックル部４の内部には、係止部材２６が配されていて、この係止部材２６のバックル部先端側と反対側の端部には、爪状凸部（係止突起）７が設けられ、該爪状凸部（係止突起）７が、バックル部の導入口（図示せず）から導入される上背負いベルト２１の凹溝３と噛み合って両ベルトが係合して係止（固定）される。該係止部材２６は、該係止部材の回動支持軸２７を中心軸にして回動可能な構造に形成されているが、通常時には、係止部材２６はバネ等（図示せず）の力により、凹溝３側に付勢されて固定的に保持されて爪状凸部（係止突起）７が凹溝３と噛み合っている。
【００２８】
この爪状凸部（係止突起）７が凹溝３と噛み合っている状態で、一方の手でバックル部４付近を持ち、他方の手で上側背負いベルトをさらに下方に引くことにより、カチカチと音がするようにスライドさせて、爪状凸部（係止突起）７と上側背負いベルト２１の内側（裏側）の凹溝との係止関係が、該凹溝の１ピッチ単位でずれていき、連結長さの調整を短く絞り込むようにして行うことができる。
【００２９】
一方、絞り込む前の長さに戻したい等の理由により、該係止関係をいったん解く際は、係止部材２６の一部に形成した係止解除機構８を作用させることにより、両ベルト２１、２２の係合を解くことができ、上側背負いベルト２１を戻して適度に緩めたりした後、再び、上記のようにカチカチと絞り込むようにして連結長さの調整を行うことができる。係止解除機構８の具体的構造は、特に限定されないが、例えば半球状などの凸状に形成して構成した係止解除ボタン２５を矢印Ｐ方向に押し込むことにより、回動支持軸２７を中心にして矢印Ｒの方向に爪状凸部（係止突起）７を持ち上げて、凹溝３との噛み合いを解除して両ベルト２１、２２の係合を解く構造等を採用できる。係止解除ボタン２５は、全体は凸状（円柱状、半円錐状等）に出ている構造であるが、その上面は凹面状に構成したものなどでも、力がかかりやすいので良い。
【００３０】
したがって、本発明のランドセルでは、収納物が収納された登校直前のわずかな時間にあっても、爪状凸部（係止突起）と上側背負いベルトの内側（裏側）の凹溝の係止関係を児童の親指や第三者の人差し指などで比較的簡単に解除して、上側背負いベルト２１を上方に引いて緩めて、再び長さの調整、微調整を行うことができ、短時間で最適な体感重量状態にすることが容易にできる。また、係止解除機構８が使用者の身体側にあるので、外部からいたずら等がされにくく意図せぬ解除を防止しやすいものである。
【００３１】
図３は、図１に示したランドセルの上下の背負いベルト２１、２２を連結させている状態を示している。
【００３２】
本発明のランドセルによれば、従来のランドセルにおけるピン穴にピンを通して背負いベルトの長さ調節とその固定を行う方式では、約２．５〜３．５ｃｍ程度のピッチでの長さの調節しかできなかったのに対して、約３．５〜６ｍｍ程度、概して約３．０〜５ｍｍ程度のより細かいピッチでの背負いベルトの長さの調節とその固定が可能となる。したがって、実際に背負って体感しながら、スライド式アジャスタ機構によってより最適な条件でベルト長さを調整した上で固定ができることと相俟って、ランドセルを身体によりフィットさせ得る状態で背負うようにすることができる。その結果、本発明者らの検討によれば、従来の背負いベルトのピン穴にピンを通して背負いベルト長さの調節とその固定を行う方式のものと比べて、体感重量を数分の１〜１／５程度、場合によっては実に１／１０程度まで低減化させることができる。
【００３３】
本発明において、スライド式アジャスタ機構は、バックル部の構造を、使用者の身体側に係止解除機構が位置するように構成さえすればよく、あとは同機構を有している腰ベルトで採用されている爪状凸部（係止突起）と凹溝の構成をほぼ同様な仕様で使用することができる。
【００３４】
この係止解除ボタン２５は、使用者の身体側に向いて設けられているが、一般的には、使用者の腰の斜め上の外側空間中にバックル部４が位置するようになるので、使用者の身体に当たるような場合は少ない。それでも当たった場合などに誤って解除されることがないように、図４に示したように、係止解除機構８を露出する開孔２８を有するとともに、係止突起を有する下の背負いベルト２２に基部１０が鋲止め、リベットなどの手段により固定され、かつ、凹溝３を有する上の背負いベルト２１を通すガイドスリット孔２９を有する舌状ガイド体９を付設して使用することが好ましい。
【００３５】
この舌状ガイド体９は、例えば、ある程度の厚さと可撓性を有する柔軟な合皮あるいは天然皮革で形成するとよく、使用者は、必要時には開孔２８部分を介して係止解除機構８を作用させることができる。通常時には、舌状ガイド体９の存在により、係止解除機構８に外力が作用して、爪状凸部（係止突起）７と凹溝３の係止関係が解除されることは防止されている。ガイドスリット孔２９は、バックル部４に上側背負いベルト２１が直接的に急な角度を呈して導入されてアジャスタ機構を損傷したりしないように、上側背負いベルト２１の正常な導入経路を確保するための機能を有する。
【００３６】
本発明において、バックル部４は、下背負いベルト２２に設けずに、上背負いベルト２１側に設けることもできる。ただし、その場合には、下背負いベルト２２に凹溝３を設けることになるので、一般に凹溝の形成長さを大きくすることが難しくなり、背負いベルトの長さ調整可能範囲が小さくなるので、極力、バックル部４が上の方に位置するようにして、両ベルト２１、２２を構成するのがよい。
【００３７】
また、凹溝３は、外側に向いて位置するように構成してもよいが、外観や汚れ防止などの点から、図１等で示したように内側（身体側）に向くように構成するのがよい。
【００３８】
また、爪状凸部（係止突起）７と凹溝３との噛み合い部分よりも先端側の上背負いベルト２１は、バックル４の根本付近のベルト上に設けられた開口部（図示せず）を介して、身体側に回すか、あるいは反対側の外側に回すか、いずれかを採用することができる。図３および図４に示した態様では外側に回した例を示している。
【００３９】
上側背負いベルト２１（あるいは下側背負いベルト２２）の複数の凹溝３は、その断面が鋸刃状のように、一方は傾斜面を呈して、他方は垂直面を呈して連続して凹溝を切ってあるものがよい。傾斜面は、ベルトをスライドさせて引いて絞るときに支障なく引くことができ、反面、垂直面はベルトが反対方向にスライドして緩むことを防止することができるからである。
【００４０】
また、上下の背負いベルト２１、２２の係合が簡単に解かれないようにする上で、バックル部４を通った上側背負いベルト２１は、その先端をベルト通し環６に通すことも好ましく、例えば、図３（ｂ）に示したようにバックル部４のすぐ近傍に、あるいはバックル部とほぼ一体的に、合皮製や天然皮革製あるいは金属製や硬質のプラスチック製などの丈夫な素材で構成したベルト通し環６を設けることも好ましい。
【００４１】
また、バックル部は、その内部に係止部材２６、爪状凸部（係止突起）７、上側背負いベルト２１を通す空間を有し、かつ背面（使用者の身体側の面）に係止解除機構８を有するものであればよく、特に限定はされないが、バックル部の外側の全体は、一体的に構成されているものであることが好ましい。無用な外力などで係止状態が解かれたり破壊されたりすることが極力ないようにするためである。
【００４２】
本発明のランドセルでは、上下の背負いベルトの連結は、背負いベルトの長さ調整と固定時に同時になされるが、毎日の使用時になされる必要は必ずしもない。ただし、毎日、ランドセルを背負うたびに、実際に収納物を入れた状態で体感する重さを確認しながら、長さの調節、微調整および固定を行うこともよい。本発明のランドセルでは、背負いベルトの長さの微調整が数ｍｍ単位でできるので、そのような微調整を毎日の収納物の重量等にも合わせて行うようにすること、あるいは毎日でなくても何か変化ある毎に頻繁に行うことは、本発明のランドセルの効果をより享受できる点で好ましいことである。
【００４３】
なお、一度、調節して固定をした後は、上下の背負いベルトの連結が簡単に解けないように、あるいは、簡単に該上背負いベルトがバックル部４から抜けてしまうこと等がないようにするため、上該背負いベルトの先端付近に着脱可能なあるいは半固定的な拡幅もしくは拡厚用の部材を付設してもよい。拡幅もしくは拡厚用の部材は、皮革製、合成皮革製、合成樹脂製あるいは布製のものなどで構成することができる。
【００４４】
本発明のランドセルは、身体が小さい低学年の児童や、体力が弱めの児童、あるいは身長がグングンと伸びる成長期にある児童のランドセルに使用されたときに、特に優れた効果を発揮する。
【符号の説明】
【００４５】
１：ランドセル本体
２：背負いベルト
３：凹溝
４：バックル部
５：背当て部
６：ベルト通し環
７：爪状凸部（係止突起）
８：係止解除機構（係止解除ボタン）
９：舌状ガイド体
１０：舌状ガイド体の基部
２１：上背負いベルト
２２：下背負いベルト
２５：係止解除ボタン
２６：係止部材
２７：回動支持軸
２８：係止解除機構８を露出する開孔
２９：ガイドスリット孔
【図１】
0005955628.tif 000002
【図２】
0005955628.tif 000003
【図３】
0005955628.tif 000004
【図４】
0005955628.tif 000005